(57)【要約】【課題】スピーカを備える壁埋込形子機の接続部にスピーカを備えたハンド形子機を接続した場合、通話時にはハンド形子機のスピーカのみから通話音声が出力されるようにする。【解決手段】通話時には受話電源１６から受話バイアス電源が供給され、ハンド形子機９が壁埋込形子機１１に接続されると、この接続状態が受話電流検出回路１５によって検出され、スピーカ切替装置１８は、音声信号を出力するスピーカを壁埋込形子機１１のスピーカ２１からハンド形子機９のスピーカ１７に切り替える。ハンド形子機９が接続されていない場合は、スピーカ切替装置１８は壁埋込形子機１１のスピーカ２１を選択する。放送時、放送信号をスピーカ切替装置１８は受けると、スピーカ２１とスピーカ１７に、それぞれに音声信号を送出する。【選択図】図２
2008022206.tif 000002
【特許請求の範囲】
【請求項１】
病院や福祉施設において、病床の近傍に設置される病床端末と、ナースセンタに設置され、前記病床端末との間で通話や放送を行うナースコール親機と、を備えるナースコールシステムであって、
前記病床の壁面に設置されたスピーカ付き壁埋込形子機は、スピーカを有するハンド形子機が接続可能な接続部と、前記接続部に前記ハンド形子機を接続した場合に、前記ハンド形子機のスピーカのみから音声が出力されるように制御するスピーカ切替装置とを有することを特徴とするナースコールシステム。
【請求項２】
前記壁埋込形子機は、前記ハンド形子機が前記接続部に接続されたか否かを検出する受話電流検出回路を備え、
前記ハンド形子機が前記接続部に接続されていないことを前記受話電流検出回路により検出した場合に、前記スピーカ切替装置は、前記壁埋込形子機のスピーカから音声が出力されるように制御することを特徴とする請求項１に記載のナースコールシステム。
【発明の詳細な説明】
【技術分野】
【０００１】
本発明は、病院や福祉施設などの施設において、患者や被介護者が、看護師や介護者を呼び出すために使用されるナースコールシステムに関する。
【背景技術】
【０００２】
従来、病院や福祉施設などの施設に設置されるナースコールシステムは、周知のように、ナースセンタにナースコール親機が設置される構成となっている。このナースコール親機は、一般に廊下灯と称されて各病室の入り口付近に設置される廊下灯ユニットに有線接続される。
【０００３】
前記ナースコール親機は、呼び出しが生じた病床を識別し、その情報をモニタ上に表示すると共に、無線回線を通じて看護師などの医療従事者が携帯するナースコール子機を呼び出すことができる（例えば、特許文献１参照。）。
【０００４】
なお、スピーカを備えていない握り押しボタンが、壁埋込形子機に接続されるケースも有り得るため、従来は、壁埋込形子機にもスピーカを備えているものが開発されていた（例えば、特許文献２参照。）。
【特許文献１】特開２００３−１２６１８３号公報
【特許文献２】特開２００６−７５３３２号公報
【発明の開示】
【発明が解決しようとする課題】
【０００５】
ところで、前述のスピーカを備えている壁埋込形子機を有するタイプの従来のナースコールシステムでは、このような壁埋込形子機に対してスピーカを備えたハンド形子機が接続される構成の場合、この壁埋込形子機とハンド形子機との両方のスピーカから会話の音声が出力されるため、通話内容が壁面に埋め込まれた壁埋込形子機側のスピーカから病室内に漏れてしまうこととなり、患者のプライバシーが保てなくなるという問題点があった。
【０００６】
本発明は、上記の問題点を解決すべくなされたもので、スピーカを備えている壁埋込形子機の接続部に、同じくスピーカを備えたハンド形子機を接続した場合に、壁埋込形子機側のスピーカから通話音声が病室内に漏れてしまうことを防止することができるナースコールシステムを提供することを目的とする。
【課題を解決するための手段】
【０００７】
上記の目的を達成するため、請求項１記載の本発明は、病院や福祉施設において、病床の近傍に設置される病床端末と、ナースセンタに設置され、前記病床端末との間で通話や放送を行うナースコール親機と、を備えるナースコールシステムであって、前記病床の壁面に設置されたスピーカ付き壁埋込形子機は、スピーカを有するハンド形子機が接続可能な接続部と、前記接続部に前記ハンド形子機を接続した場合に、前記ハンド形子機のスピーカのみから音声が出力されるように制御するスピーカ切替装置とを有することを特徴とした。
請求項２記載の本発明は、請求項１記載のナースコールシステムにおいて、前記壁埋込形子機は、前記ハンド形子機が前記接続部に接続されたか否かを検出する受話電流検出回路を備え、前記ハンド形子機が前記接続部に接続されていないことを前記受話電流検出回路により検出した場合に、前記スピーカ切替装置は、前記壁埋込形子機のスピーカから音声が出力されるように制御することを特徴とした。
【発明の効果】
【０００８】
以上述べたように、本発明は、スピーカ２１を備えている壁埋込形子機１１に対し、スピーカ１７を備えたハンド形子機９が接続された場合に、通話時にはハンド形子機９のスピーカ１７のみから自動的に音声が出力されるので、壁埋込形子機１１側のスピーカ２１から音声が出力されることがなくなる。これにより、会話の内容が病室内に漏れてしまうことを出来るだけ防止することができ、患者のプライバシーを保護し得る効果がある。
【発明を実施するための最良の形態】
【０００９】
以下、本発明に係るナースコールシステムの実施形態について、図面を参照しながら詳細に説明する。
本発明はナースコールシステムの病床端末において、ナースコール親機側および病床側間の通話用のハンド形子機を着脱自在に壁埋込形子機に接続することが特徴である。
【００１０】
図１は、本発明の実施形態に係るナースコールシステムの概略構成図である。
図１に示すナースコールシステムの主要部は、各病室に設置される病室ユニット１と、ナースセンタに設置されてセンタ装置として機能するナースコール親機２とを備える。
【００１１】
ここで、病室ユニット１とナースコール親機２との間は、それぞれ通信線路を介して接続される。また、病室ユニット１は、各病室にそれぞれ設置されている。
【００１２】
他の標準的な構成要素として、例えば、病院内の通信センタに設置されるハンディナースコール主装置３、構内交換機（ＰＢＸ：Private Branch Exchange）４、公衆網５、無線ユニット６を設けることができる。
【００１３】
ハンディナースコール主装置３には無線ユニット６が接続され、また、ＰＢＸ４は公衆網５に接続される。
【００１４】
ハンディナースコール主装置３は、例えば構内ＰＨＳ（Personal Handy-phone System）対応の交換装置からなるもので、交換制御部やタイムスイッチの他に、複数の内線と、局線と、保守とを備える。内線にはそれぞれ無線ユニット６の無線基地局７，８が接続される。
【００１５】
無線基地局７，８はそれぞれ無線エリアを形成し、この無線エリア内に存在する携帯端末７ａ〜７ｎ，８ａ〜８ｎとの間で無線回線を介して接続される。局線には構内交換機４が接続される。携帯端末７ａ〜７ｎ，８ａ〜８ｎは、医者や看護師などの医療従事者や介護者が携帯する。
【００１６】
病室ユニット１は、通話用のハンド形子機９と、通話機能を持たない呼び出し用の握り押しボタン１０と、ハンド形子機９及び握り押しボタン１０が着脱自在なスピーカ付きの壁埋込形子機１１とを備える。壁埋込形子機１１は病床の壁等に設けられており、個別情報廊下灯１２に接続されている。
【００１７】
ハンド形子機９は患者が携帯して個人的にナースコール親機２側と通話可能な機器で、本体内にマイク、スピーカ等が内蔵され、ナースコール親機２側と通話できるようになっている。これについては追って詳述する。
【００１８】
また、握り押しボタン１０は、患者（あるいは被介護者）が看護士を呼び出す際に使用するものであり、壁埋込形子機１１を介して個別情報廊下灯１２に接続される。
【００１９】
これらハンド形子機９及び握り押しボタン１０は、患者によって操作されると壁埋込形子機１１を介して個別情報廊下灯１２に操作信号を出力する。
【００２０】
壁埋込形子機１１は、ハンド形子機９及び握り押しボタン１０を接続するためのコンセント、スピーカ、マイク、介護サービスに対応する押しボタン、医療従事者によってなされる作業に対応する押しボタン、及びこれらの各ボタン操作をリセットするための復旧ボタンを備える。
【００２１】
マイクロホン、スピーカは、患者が該患者からの呼出に対して応答した看護師と通話を行うために使用するものである。通話時の通話信号は、通話路を介してナースコール親機２へ送信される。通話路は、ナースコール親機２において看護師が患者の呼出に対して応答操作することにより確立される。なお、周知のように、復旧ボタン（図示せず）が設けられ、この復旧ボタンは上記呼出をリセットする場合に使用される。
【００２２】
個別情報廊下灯１２は、上記操作信号を受信すると、自身の表示部に呼出の発生を表示すると共に、呼出信号を生成してナースコール親機２へ送信する。
【００２３】
ナースコール親機２は、壁埋込形子機１１に接続された握り押しボタン１０またはハンド形子機９が操作されて呼び出しが行われたか否かを判定する。そして呼び出しが行われた場合には、ナースコールシステムは、この呼び出しを行った患者（あるいは被介護者）と医療従事者との間で通話が可能な状態にする。
【００２４】
次に、壁埋込形子機１１及びハンド形子機９の構成及び動作について説明する。
【００２５】
図２は、本発明の実施形態に係るナースコールシステムが備える壁埋込形子機１１及びハンド形子機９の構成例を示す。
【００２６】
壁埋込形子機１１にはマイク１３が設けられている。このマイク１３からの出力は受話回路１４を介しナースコール親機２側へ送られる。
【００２７】
また、壁埋込形子機１１には、受話電流検出回路１５とその電源用の受話電源１６が設けられている。受話電流検出回路１５はハンド形子機９が壁埋込形子機１１に接続されたか否かを検出するためのものである。
【００２８】
また、壁埋込形子機１１には、壁埋込形子機１１に内蔵されたスピーカ２１と、このスピーカ２１とハンド形子機９側のスピーカ１７との切替えを行うスピーカ切替装置１８が設けられている。スピーカ切替装置１８は受話電流検出回路１５と接続され、受話電流検出回路１５からの出力信号によりスピーカ切替装置１８に接続された壁埋込形子機１１のスピーカ２１と、ハンド形子機９側のスピーカ１７との切替えの制御を行うように構成されている。
【００２９】
また、壁埋込形子機１１にはハンド形子機９の接続部Ａ、Ａ’が設けられている。接続部Ａ、Ａ’はプラグとコンセントのような着脱兼電気的接続可能なものからなり、一方の接続部Ａは受話電流検出回路１５と受話回路１９間に設けられ、他方の接続部Ａ’は受話回路１９の他方の出力端と接続可能となっており、かつ接地されている。
【００３０】
なお、壁埋込形子機１１のスピーカ２１の放音部、マイク１３は壁面に設けられている。受話回路１４、受話電源１６、受話電流検出回路１５、スピーカ切替装置１８等はケース（図示せず）内に収められ、壁内に埋め込まれている。
【００３１】
ハンド形子機９は、マイク２０と前述のようにスピーカ切替装置１８と接続可能なスピーカ１７が設けられ、マイク２０は受話回路１９に接続されている。受話回路１９には出力コードが接続され、コードの先端部にプラグのような接続部材が設けられ、このプラグが壁埋込形子機１１のコンセントのような接続部Ａ、Ａ’に接続可能になっている。
【００３２】
そして、ハンド形子機９を接続部Ａ、Ａ’を介し壁埋込形子機１１に接続した場合、ハンド形子機９の受話回路１９は、壁埋込形子機１１の受話電流検出回路１５に電気的に接続される。また、ハンド形子機９のスピーカ１７は、壁埋込形子機１１のスピーカ切替装置１８に接続される。
【００３３】
次に、壁埋込形子機１１の動作を説明する。
壁埋込形子機１１は、通話時において、受話電源から受話バイアス電源が供給される。この時、ハンド形子機９を接続部Ａ、Ａ’を介し壁埋込形子機１１に接続すると、壁埋込形子機１１の受話電流検出回路１５側から電流ｉがハンド形子機９の受話回路１４に流れる。この状態を受話電流検出回路１５が検出し、それをスピーカ切替装置１８に通知する。これにより、スピーカ切替装置１８は、ハンド形子機９が接続されていることを判断し、通話を出力するためのスピーカをスピーカ２１からハンド形子機９側のスピーカ１７に切り替える。したがって、ハンド形子機９の所持者は、手元のハンド形子機９のスピーカ１７を介し個人的に音声を聞くことができ、プライベートな会話を他の患者に出来るだけ聞かれないようにすることができる。
【００３４】
また、ハンド形子機９が接続されていない場合は、電流ｉが流れない。この非接続状態が受話電流検出回路１５を介し、スピーカ切替装置１８に送られる。これにより、スピーカ切替装置１８はハンド形子機９が接続されていないことを判断し、通話を出力するためのスピーカをスピーカ２１とするよう制御動作を行う。
【００３５】
さらに、スピーカ切替装置１８はナースコール親機２側からの放送信号を受けた場合、放送を出力するために接続するスピーカを、壁埋込形子機１１側のスピーカ２１と、ハンド形子機９側のスピーカ１７との両方とし、両方から放音するようにする。この両接続時には、スピーカ２１とスピーカ１７は並列接続となる。この場合、ハンド形子機９の所持者以外に、その病室内に居る人も放送を聞くことができる。
【００３６】
図３は、上記したナースコールシステムにおける壁埋込形子機の通話時の動作をフローチャートで示したものである。
【００３７】
まず、受話電源１６から受話電流検出回路１５に受話バイアス電源が供給される（ステップＡ１）。これにより、受話電流検出回路１５は、ハンド形子機９が接続されているか否かを検出し、ハンド形子機９が検出されているとステップＡ３に進む。ハンド形子機９が接続されていないとステップＡ６に移る（ステップＡ２）。
【００３８】
ステップＡ３では、スピーカ切替装置１８が、放送信号を受け、放送信号が到来している場合はステップＡ４に進み、放送信号が到来していない場合はステップＡ５に移る。
【００３９】
ステップＡ４では、スピーカ切替装置１８が、放送を出力するためのスピーカとして、スピーカ２１（即ち壁埋込形子機１１のスピーカ）とスピーカ１７（即ちハンド形子機９のスピーカ）との両方を接続して、処理を終了する。既にスピーカ２１とスピーカ１７との両方のスピーカが接続されている場合は何もしないで直ちに処理を終了する。
【００４０】
ステップＡ５では、スピーカ切替装置１８が、通話内容を出力するためのスピーカとして、スピーカ１７だけを接続して、処理を終了する。既にスピーカ１７だけが接続されている場合は何もしないで直ちに処理を終了する。
【００４１】
ステップＡ６では、スピーカ切替装置１８が、通話内容を出力するためのスピーカとして、スピーカ１８だけを接続して、処理を終了する。既にスピーカ１８だけが接続されている場合は何もしないで直ちに処理を終了する。
【００４２】
なお、接続部Ａ、Ａ’にはハンド形子機９に代え、握り押しボタン１０を接続することができる。握り押しボタン１０が接続されると受話電流検出回路１５がそれを検出し、握り押しボタン１０が接続されたことをスピーカ切替装置１８に通知する。この場合、スピーカ切替装置１８は、握り押しボタン１０にはマイク、スピーカがなく、通話機能はないため、壁埋込形子機１１のスピーカ２１に音声出力を送出する。
【００４３】
接続されたものがハンド形子機９か握り押しボタン１０かは、接続時に流れる電流ｉの値によって識別するようにすれば良い。
【００４４】
この受話電流検出回路１５やスピーカ切替装置１８は、ＣＰＵを用いるなどし、既知のコンピュータ技術により容易に実現し得る。
【００４５】
以上のように、本発明では病床の壁面に設置されたスピーカ付き壁埋込形子機１１は、外部機器接続用の接続部Ａ、Ａ’が設けられ、この接続部Ａ、Ａ’にハンド形子機９が接続された場合、壁埋込形子機１１は、それを検出し、壁埋込形子機１１のスピーカ２１からハンド形子機９側のスピーカ１７へと切替え、スピーカ１７のみへ音声信号を送出するスピーカ切替装置１８が設けられている。
【００４６】
したがって、壁埋込形子機１１にハンド形子機９が接続されるとハンド形子機９のスピーカ１７のみから音声が出力されるため、ナースコール親機２側と患者との会話が病室内に漏れてしまうことを極力防止できるので、患者のプライバシーを保護することができる。
【００４７】
なお、この発明は前記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【図面の簡単な説明】
【００４８】
【図１】本発明の実施形態に係るナースコールシステムの概略構成図である。
【図２】本発明の実施形態に係るナースコールシステムが備える壁埋込形子機及びハンド形子機の回路構成のブロック図である。
【図３】同上の壁埋込形子機及びハンド形子機の動作のフローチャートを示す。
【符号の説明】
【００４９】
１    病室ユニット
２    ナースコール親機
３    ハンディナースコール主装置
４    構内交換機
５    公衆網
６    無線ユニット
７    無線基地局
７ａ〜７ｎ    携帯端末
８    無線基地局
８ａ〜８ｎ    携帯端末
９    ハンド形子機
１０    握り押しボタン
１１    壁埋込形子機
１２    個別情報廊下灯
１３    マイク
１４    受話回路
１５    受話電流検出回路
１６    受話電源
１７    スピーカ
１８    スピーカ切替装置
１９    受話回路
２０    マイク
２１    スピーカ
【図１】
2008022206.tif 000003
【図２】
2008022206.tif 000004
【図３】
2008022206.tif 000005